(57)【要約】【課題】複数の未読の電子メールの概要を表示し、更に、それらの電子メールの中の任意の電子メールを選択して表示することができる。【解決手段】未読電子メール管理部は、本文が表示されていない受信メールのそれぞれの受信状況（未受信、ヘッダ受信済み及び本文受信済みの中のいずれか。）と、送信者アドレスと、件名及び／または本文の内容とが、受信状況２４ｅと、送信者アドレス２４ｆと、受信メール内容２４ｇと等しい解析ルール２４ａを検索する。そして、検索された解析ルール２４ａの内容概要２４ｈで識別される画像を表示部のピクト行に表示させる。【選択図】図３
2009053758.tif 000002
【特許請求の範囲】
【請求項１】
表示手段と、
電子メールを受信する受信手段と、
受信した電子メールを記憶する記憶手段と、
前記記憶手段に記憶された電子メールのうち、未読である電子メールに対して、電子メールのヘッダ、電子メール本文、及び電子メールのヘッダ及び本文のうちのいずれかを解析して得られた文字列と関連付けられた画像を前記表示手段に表示させる未読電子メール報知手段とを有する
ことを特徴とする通信端末装置。
【請求項２】
入力手段と、
表示手段と、
電子メール記憶手段と、
電子メールの受信の段階と、電子メールのヘッダと、文字列と、画像とを関連付けて記憶する画像記憶手段と、
電子メールの着信信号の受信の段階、その電子メールのヘッダの受信の段階、及び、その電子メールの本文の受信の段階を経てその電子メールを受信し、その電子メールの受信の段階と、その電子メールのヘッダが受信された場合、そのヘッダと、その電子メールの本文が受信された場合、その本文とを前記電子メール記憶手段に記憶させる電子メール受信手段と、
前記入力手段から入力された電子メール表示指示に従って前記電子メール記憶手段に記憶された電子メールの本文を前記表示手段に表示させた場合、その電子メールは既読であると前記電子メール記憶手段に記憶させる電子メール表示手段と、
前記電子メール記憶手段に記憶され、既読であると記憶されていない各電子メールに対して、その電子メールの前記受信の段階、その電子メールのヘッダ並びにその電子メールのヘッダ及び／または本文を解析して得られた文字列と関連付けられて前記画像記憶手段に記憶された画像を検索し、その検索された画像を前記表示手段に表示させる未読電子メール報知手段とを有する
ことを特徴とする通信端末装置。
【請求項３】
前記未読電子メール報知手段は、前記電子メールの受信の段階、その電子メールのヘッダ並びにその電子メールのヘッダ及び／または本文を解析して得られた文字列と関連付けられた前記画像が検索されない場合、その電子メールに対する画像を前記表示手段に表示させない
ことを特徴とする請求項１または請求項２に記載の通信端末装置。
【請求項４】
前記表示手段は、ピクト行を有し、
前記未読電子メール報知手段は、前記検索された画像を前記ピクト行に表示させる
ことを特徴とする請求項１または請求項２に記載の通信端末装置。
【請求項５】
入力手段と、
表示手段と、
少なくとも電子メールのアドレスを記憶するアドレス帳と、
電子メール記憶手段と、
電子メールの受信の段階と、電子メールの送信者アドレスが前記アドレス帳に記憶されている、または、記載されていない旨と、画像とを関連付けて記憶する画像記憶手段と、
電子メールの送信者アドレスを含むヘッダの受信の段階と、その電子メールの本文の受信の段階とを経てその電子メールを受信し、その電子メールの受信の段階と、その電子メールのヘッダと、その電子メールの本文が受信された場合、その本文とを前記電子メール記憶手段に記憶させる電子メール受信手段と、
前記入力手段から入力された電子メール表示指示に従って前記電子メール記憶手段に記憶された電子メールの本文を前記表示手段に表示させた場合、その電子メールは既読であると前記電子メール記憶手段に記憶させる電子メール表示手段と、
前記電子メール記憶手段に記憶され、既読であると記憶されていない各電子メールに対して、その電子メールのヘッダに含まれる送信者アドレスが前記アドレス帳に記憶されている場合、その電子メールの前記受信の段階、及び、前記電子メールのアドレスがアドレス帳に記憶されている旨と関連付けられて前記画像記憶手段に記憶された画像を検索し、一方、その既読であると記憶されていない電子メールのヘッダに含まれる送信者アドレスが前記アドレス帳に記憶されていない場合、その電子メールの前記受信の段階、及び、前記電子メールのアドレスがアドレス帳に記憶されていない旨と関連付けられて前記画像記憶手段に記憶された画像を検索し、その検索された画像を前記表示手段に表示させる未読電子メール報知手段とを有する
ことを特徴とする通信端末装置。
【発明の詳細な説明】
【技術分野】
【０００１】
本発明は、通信端末装置に係り、特に、未読の電子メールの存在を報知する処理に関する。
【背景技術】
【０００２】
電子メールの送受信機能を備えた通信端末装置は、電子メールが受信された場合、その電子メールの送信者の電子メールアドレスを表示して報知する処理が知られている。また、その電子メールアドレスの表示に代えて、アドレス帳を参照して、そのアドレスをその電子メールの送信者名に変換して表示する処理が知られている。
【０００３】
更には、電子メールサーバ装置に到着して未受信の電子メール、また、受信され、かつ、未読の電子メール（本文が表示部に表示されたことがない電子メール。）があると、それらのメールの存在を所定の表示によって報知する処理が知られている。また、受信された電子メールの本文の内容に応じて複数の画像の中から１つの画像を選んで表示する処理が知られている（例えば、特許文献１参照。）。
【特許文献１】特開２００５−３１６６５０号公報（第２−３頁、第７頁、図１１、図１２）
【発明の開示】
【発明が解決しようとする課題】
【０００４】
しかしながら、上述した特許文献１に開示されている手法では、複数の未読の電子メールがある場合、それぞれの電子メールの概要を知ることができず、そのため、どの電子メールから読むべきかの判断に用いることができない問題点があった。また、電子メールを読む操作（例えば受信メール一覧を開く動作など。）を行わない限り受信したメールの概要すら知ることができない問題点があった。
【０００５】
本発明は上記問題点を解決するためになされたもので、複数の未読の電子メールの概要を表示し、更に、それらの電子メールの中の任意の電子メールを選択して表示することができる通信端末装置を提供することを目的とする。
【課題を解決するための手段】
【０００６】
上記目的を達成するために、本発明に係る通信端末装置は、表示手段と、電子メールを受信する受信手段と、受信した電子メールを記憶する記憶手段と、前記記憶手段に記憶された電子メールのうち、未読である電子メールに対して、電子メールのヘッダ、電子メール本文、及び電子メールのヘッダ及び本文のうちのいずれかを解析して得られた文字列と関連付けられた画像を前記表示手段に表示させる未読電子メール報知手段とを有することを特徴とする。
【発明の効果】
【０００７】
本発明によれば、複数の未読の電子メールの概要を表示し、またはそれらの電子メールの中の任意の電子メールを選択して表示することができる。
【発明を実施するための最良の形態】
【０００８】
以下に、本発明による通信端末装置の実施の形態を、図面を参照して説明する。図１は、本発明の実施形態に係る通信端末装置が適用された移動通信端末装置の構成を示すブロック図である。この移動通信端末装置は、装置全体の制御を行う制御部１１と、移動通信網を介した通信を行うために基地局（図示せず）との間で電波の送受信を行うアンテナ１２ａと、通信部１２ｂと、送受信部１３と、受話用のスピーカ１４ａと、送話用のマイクロフォン１４ｂと、通話部１４ｃと、表示部１５と、入力装置１６と、電子メール送受信部２１と、電子メール記憶部２２と、未読電子メール管理部２３と、未読メール管理情報記憶部２４と、アドレス帳管理部３１と、アドレス帳記憶部３２とからなる。
【０００９】
電子メール記憶部２２には、受信メール２２ａが記憶される。未読メール管理情報記憶部２４には、解析ルール２４ａと、解析結果画像対応２４ｂと、画像情報２４ｃとが記憶される。アドレス帳記憶部３２には、アドレス帳３２ａが記憶される。
【００１０】
上記のように構成された、本発明の実施形態に係る移動通信端末装置の各部の動作を、図１を参照して説明する。
【００１１】
制御部１１は、送受信部１３によって通話着信信号が受信された場合、その着信を報知し、使用者に着呼操作を促す。また、送受信部１３によって電子メール着信信号が受信された場合、その着信を電子メール送受信部２１に通知する。ここで、電子メール着信信号は、この移動通信端末装置宛ての受信メールが電子メールサーバ装置（図示せず）によって受信された際に、電子メールサーバ装置によって送信されるものである。
【００１２】
通信部１２ｂは、アンテナ１２ａが受信した高周波信号を送受信部１３へ出力し、また、送受信部１３から出力される高周波信号をアンテナ１２ａより送信する。
【００１３】
送受信部１３は、通信部１２ｂからの高周波信号を増幅、周波数変換及び復調し、それによって得られたディジタル音声信号を通話部１４ｃへ、電子メールを電子メール送受信部２１へ、また、制御信号を制御部１１に送る。更には、通話部１４ｃから出力されるディジタル音声信号、電子メール送受信部２１から出力される電子メール、及び制御部１１から出力される制御信号を変調、周波数変換及び増幅し、高周波信号を得て、それを通信部１２ｂに送る。
【００１４】
通話部１４ｃは、送受信部１３から出力されるディジタル音声信号をアナログ音声信号に変換し、それを増幅して受話用スピーカ１４ａに送る。また、マイクロフォン１４ｂから出力されるアナログ音声信号を増幅し、それをディジタル音声信号に変換して送受信部１３に送信する。
【００１５】
表示部１５は、例えば、ＬＣＤ（Liquid Crystal Display）であり、制御部１１に制御されることで、文字・数字や画像データの表示動作を行い、表示されているデータは、入力装置１６からの入力操作や着信信号に応答して制御部１１からの指示を受けることで切換わる。
【００１６】
入力装置１６は、通信相手の電話番号の指定に用いられる文字キーや数字キーと、複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、または、動作が行われる。
【００１７】
電子メール送受信部２１は、電子メールの送信、受信及び受信された電子メールの表示を行う。電子メール送受信部２１の電子メール送信動作は、入力装置１６の所定のキー操作により起動され、入力装置１６の所定のキー操作によって作成された送信メールの件名（Subject）と本文とを送受信部１３を経由して送信する。
【００１８】
また、電子メール送受信部２１の電子メール受信動作は、送受信部１３によって電子メール着信信号が受信されると制御部１１によって起動され、電子メールを電子メールサーバ装置から受信する動作を行う。ここで、電子メールを受信する動作は、以下の３通り動作のいずれかである。
【００１９】
第１に、着信信号に係る電子メールを受信せずに、受信されていない電子メールがあることを受信メール２２ａとして記憶させる。第２に、その電子メールの件名を含むヘッダを受信し、受信されたメールに係る情報を受信メール２２ａとして記憶させる。第３に、その電子メールのヘッダ及び本文を受信し、受信されたメールに係る情報を受信メール２２ａとして記憶させる。
【００２０】
また、電子メール送受信部２１の受信された電子メールの表示動作は、入力装置１６の所定のキー操作によって、受信メール２２ａを表示部１５に表示させる。ここで、受信メール２２ａのヘッダ及び／または本文が受信されていない場合、電子メール送受信部２１は、表示に先立って、受信メール２２ａのヘッダ及び／または本文を受信する動作を行う。
【００２１】
未読電子メール管理部２３は、受信メール２２ａに未読のものがある場合、その存在を表示部１５に表示させることによって報知する。未読とは、その受信メール２２ａの本文が表示部１５に表示されていないことを意味し、本文が受信されていない場合を含む。ここで、本文が未読の受信メール２２ａは、以下の３通りのいずれかである。第１にヘッダ及び本文が受信されていない。第２に、ヘッダが受信済みで、本文が受信されていない。第３に、ヘッダ及び本文が受信済みであって、その本文が表示部１５に表示されていない。
【００２２】
即ち、未読電子メール管理部２３は、未読の受信メール２２ａのそれぞれを解析ルール２４ａを参照して解析し、そのメールの内容の概要を得る。そして、その解析によって得られた内容の概要を、解析結果画像対応２４ｂを参照して、画像の識別子に変換する。そして、その変換された識別子で識別される画像を画像情報２４ｃから検索して、検索された画像を表示部１５に表示させる。ここで、未読の受信メール２２ａが複数あれば、検索された複数の画像の一覧を表示させる。
【００２３】
アドレス帳管理部３１は、アドレス帳３２ａを管理する。即ち、制御部１１に制御されることで起動して、アドレス帳３２ａに記憶された情報を表示部１５に表示させる。また、入力装置１６の所定のキー操作が行われることによって、入力された情報を新規にアドレス帳３２ａに記憶させる。更に、入力装置１６の所定のキー操作が行われることによって、アドレス帳３２ａに記憶された情報を更新し、更新された情報をアドレス帳３２ａに更新記憶させる。また、入力装置１６の所定のキー操作が行われることによって、アドレス帳３２ａに記憶された情報の一部または全部を削除する。
【００２４】
以下、本発明の実施形態に係わる移動通信端末装置の未読の電子メールの概要を報知し、それらの電子メールの中の任意の電子メールを表示する動作について説明する。
【００２５】
図２は、電子メール記憶部２２に記憶される受信メール２２ａの構成の一例を示す。この受信メール２２ａは、受信メール識別子２２ｂと、受信状況２２ｃと、日時２２ｄと、送信者アドレス２２ｅと、件名２２ｆと、本文２２ｇと、内容概要２２ｈとが関連付けられた情報からなる。そして、１組の関連付けられた情報は、１通の受信メール２２ａに係る情報である。なお、図２では、関連付けられた情報が隣接して記憶されるように図示したが、これは、容易に理解されるように図示したものであり、記憶構造は、これに限るものではない。
【００２６】
受信メール識別子２２ｂは、受信メール２２ａを一意に識別する識別子である。ここでは、一例として、受信メール識別子２２ｂは、後述する受信状況２２ｃが「未受信」のものから、「ヘッダ受信済み」のもの、「本文受信済み」のもの、「既読」のものへと、順次大きい値であるとする。また、受信状況２２ｃが同じであれば、後述する日時２２ｄが新しいものが小さく、古いものが大きいとする。なお、受信メール識別子２２ｂは、関連付けられた受信状況２２ｃが異なる情報に変わらない限り、変わることはない。
【００２７】
そして、受信メール２２ａは、受信メール識別子２２ｂが小さいメールに係る情報が前に、大きいメールに係る情報が後にソートされて記憶されている。なお、受信メール識別子２２ｂは、このような順によって大小が決められると限るものではない。更に、受信メール識別子２２ｂは、電子メール送受信部２１が受信メール２２ａを表示させる際の順序を示すが、必須なものではない。受信メール２２ａが上記のようにソートされていれば良い。また、ソートされるとは、必ずしも記憶順を規定するものではない。適宜ポインターを付すことによって、ソートされた状態とすることができる。
【００２８】
受信状況２２ｃは、受信メール２２ａが受信されてから、その受信メール２２ａの本文２２ｇが表示部１５に表示されるまでの４段階の過程の中で、どの段階にあるかを示し、以下の４つの情報のいずれかの情報である。即ち、第１に、「未受信」であり、受信メール２２ａは、電子メール着信信号が受信された段階であり、そのメールのヘッダ及び本文は受信されていないことを示す。
【００２９】
第２に、「ヘッダ受信済み」であり、受信メール２２ａは、ヘッダが受信済みであり、本文は、受信されていないことを示す。第３に、「本文受信済み」であり、受信メール２２ａは、ヘッダ及び本文が受信済みであり、その本文は、表示部１５に表示されたことがないことを示す。第４に、「既読」であり、受信メール２２ａの本文は、表示部１５に表示されたことがあることを示す。
【００３０】
日時２２ｄは、受信メール２２ａが受信された時刻を示す。受信状況２２ｃが「ヘッダ受信済み」である場合、日時２２ｄは、受信メール２２ａのヘッダが受信された時刻が記憶される。受信状況２２ｃが「本文受信済み」である場合、及び、受信状況２２ｃが「既読」である場合、日時２２ｄは、受信メール２２ａの本文が受信された時刻が記憶される。なお、受信状況２２ｃが「未受信」である場合、日時２２ｄには時刻が記憶されないが、これに限るものではない。電子メール着信信号が受信された時刻が記憶されるとしても良い。
【００３１】
送信者アドレス２２ｅは、受信メール２２ａのヘッダに含まれる、受信メール２２ａを送信した送信者の電子メールアドレスが記憶される。なお、受信状況２２ｃが「未受信」である場合、送信者アドレス２２ｅには、アドレスが記憶されない。なぜなら、送信者アドレス２２ｅは、受信されたヘッダの解析によって得られるからである。
【００３２】
件名２２ｆは、受信メール２２ａのヘッダに含まれる件名が記憶される。受信状況２２ｃが「未受信」である場合、及び、受信メール２２ａの件名に情報が含まれていない場合、件名２２ｆには、情報が記憶されない。
【００３３】
本文２２ｇは、受信メール２２ａの本文が記憶される。なお、受信状況２２ｃが「未受信」である場合、受信状況２２ｃが「ヘッダ受信済み」である場合、及び、受信メール２２ａの本文がない場合、本文２２ｇには、情報が記憶されない。
【００３４】
内容概要２２ｈは、受信メール２２ａの件名２２ｆ及び本文２２ｇを解析することによって得られたその電子メールの内容を示す情報である。
【００３５】
なお、受信メール２２ａは、送信者によって送信された際に件名または本文の情報がなかった場合、受信済みであるか否かに係らず、件名２２ｆまたは本文２２ｇが記憶されることはない。
【００３６】
この実施形態において、電子メール記憶部２２には、受信メール２２ａが記憶されるとしたが、これに限るものではない。送信された電子メールの控えが記憶されても良い。
【００３７】
図３は、未読メール管理情報記憶部２４に記憶される解析ルール２４ａの構成の一例を示す。この解析ルール２４ａは、ルール番号２４ｄと、受信状況２４ｅと、送信者アドレス２４ｆと、受信メール内容２４ｇと、内容概要２２ｈとが関連付けられた情報からなる。そして、１組の関連付けられた情報は、１つの解析ルール２４ａを示す。なお、図３では、関連付けられた情報が隣接して記憶されるように図示したが、これは、容易に理解されるように図示したものであり、記憶構造は、これに限るものではない。
【００３８】
ルール番号２４ｄは、解析ルール２４ａを一意に識別する自然数であり、解析ルール２４ａは、ルール番号２４ｄが小さいものから大きいものへとソートされて記憶されている。しかし、ルール番号２４ｄは、必須なものではない。解析ルール２４ａが上記のようにソートされていれば良い。また、ソートされるとは、必ずしも記憶順を規定するものではない。適宜ポインターを付すことによって、ソートされた状態とすることができる。
【００３９】
受信状況２４ｅは、受信メール２２ａの受信状況２２ｃと同じものである。また、送信者アドレス２４ｆは、受信メール２２ａの送信者アドレス２２ｅと同じものである。また、送信者アドレス２４ｆは、「アドレス帳に記載あり」なる情報、または、「アドレス帳に記載なし」なる情報でも良い。更に、送信者アドレス２４ｆは、複数の上記の情報でも良い。
【００４０】
受信メール内容２４ｇは、１つまたは複数のキーワード、文字列または概念を示す言葉である。受信状況２４ｅと、送信者アドレス２４ｆと、受信メール内容２４ｇとの中の任意個は、情報が記憶されていなくとも良い。情報が記憶されていないことを、図３では、「−」により示す。
【００４１】
受信状況２４ｅと、送信者アドレス２４ｆと、受信メール内容２４ｇとによって、解析ルール２４ａの条件を示す。そして、内容概要２２ｈは、ある受信メール２２ａの受信状況２２ｃ、送信者アドレス２２ｅ、件名２２ｆ及び本文２２ｇが上記条件を満たす場合、その受信メール２２ａの内容の概要を示す。
【００４２】
図４は、未読メール管理情報記憶部２４に記憶される解析結果画像対応２４ｂの構成の一例を示す。この解析結果画像対応２４ｂは、内容概要２４ｉと、画像識別子２４ｊとが関連付けられた情報からなる。そして、１組の関連付けられた情報は、１つの解析結果画像対応２４ｂを示す。なお、図４では、関連付けられた情報が隣接して記憶されるように図示したが、これは、容易に理解されるように図示したものであり、記憶構造は、これに限るものではない。
【００４３】
内容概要２４ｉは、解析ルール２４ａの内容概要２４ｈと同じものである。画像識別子２４ｊは、後述する画像情報２４ｃに記憶される画像を一意に識別する識別子である。
【００４４】
図５は、未読メール管理情報記憶部２４に記憶される画像情報２４ｃの構成の一例を示す。この画像情報２４ｃは、画像識別子２４ｋと、画像データ２４ｍとが関連付けられた情報からなる。そして、１組の関連付けられた情報は、１つの画像情報２４ｃを示す。なお、図５では、関連付けられた情報が隣接して記憶されるように図示したが、これは、容易に理解されるように図示したものであり、記憶構造は、これに限るものではない。
【００４５】
特に、画像データ２４ｍは、多くの記憶容量を必要とすることがあるため、ファイルとして記憶され、または、画像データ記憶領域に記憶され、画像データ２４ｍには、そのファイルの名前、または、その領域中の位置であって、所定の画像データが記憶された位置を示すアドレスが記憶されるとしても良い。または、画像データ２４ｍは、ファイルとして記憶され、画像識別子２４ｋは、そのファイルの名前であるとしても良い。
【００４６】
画像識別子２４ｋは、画像情報２４ｃに記憶される画像を一意に識別する識別子であり、解析結果画像対応２４ｂの画像識別子２４ｊと同じ情報である。画像データ２４ｍは、例えば、静止画の情報である。静止画は、符号化されていても良い。また、静止画は、文字であっても良く、アイコンであっても良い。または、画像データ２４ｍは、動画の情報である。動画は、符号化された動画像であっても良く、また、ベクトル画像であっても良い。更に、複数の静止画が所定の時間間隔で切り替え表示される画像であっても良い。
【００４７】
図６は、アドレス帳３２ａの構成の一例を示す。このアドレス帳３２ａは、氏名３２ｂと、電話番号３２ｃと、電子メールアドレス３２ｄとが関連付けられた情報からなる。そして、１組の関連付けられた情報は、１人のアドレスに係る情報を示す。なお、図６では、関連付けられた情報が隣接して記憶されるように図示したが、これは、容易に理解されるように図示したものであり、記憶構造は、これに限るものではない。
【００４８】
次に、電子メール送受信部２１の電子メール受信動作及び受信メールの表示動作を、受信メール２２ａへの記憶動作を中心に説明する。電子メール送受信部２１の電子メール受信動作は、送受信部１３によって電子メール着信信号が受信された場合と、受信メール２２ａの表示動作中に入力装置１６の所定のキー操作が行われた場合とに起動される。送受信部１３によって電子メール着信信号が受信された場合、以下の３通りの動作のいずれかを行う。
【００４９】
第１の動作は、以下の通りである。即ち、電子メール送受信部２１は、着信信号に係る電子メールを受信しない。そして、受信メール２２ａに、受信された電子メール着信信号の個数の関連付けられた情報を追加記憶させる。その情報は、「未受信」なる受信状況２２ｃであり、日時２２ｄと、送信者アドレス２２ｅと、件名２２ｆと、本文２２ｇと、内容概要２２ｈには、情報を記憶させない。
【００５０】
受信メール識別子２２ｂは、既に説明したように、適宜設定された情報が記憶される。次に、電子メール送受信部２１は、受信メール２２ａに情報が追加記憶されたことを未読電子メール管理部２３に通知する。この際、設定された受信メール識別子２２ｂをパラメータとして併せて通知する。
【００５１】
後述するように、未読電子メール管理部２３への通知は、その通知の内容を問わず、未読の受信メール２２ａの存在を報知するために表示部１５に表示される画像の一覧の更新を、未読電子メール管理部２３に指示するものである。また、パラメータとして受信メール識別子２２ｂを併せて通知することは、その受信メール識別子２２ｂによって識別される受信メール２２ａに対応する画像を得ることを、未読電子メール管理部２３に指示するものである。
【００５２】
図２に例示する受信メール２２ａで、「１１」である受信メール識別子２２ｂと関連付けられた情報と、「１２」である受信メール識別子２２ｂと関連付けられた情報とは、この第１の動作によって記憶された情報の例を示す。
【００５３】
この第１の動作は、電子メール着信信号が受信された際の動作として、上記第１の動作を行う設定がされている場合と、その際の動作として、その電子メールのヘッダを受信する、または、その電子メールのヘッダ及び本文を受信する設定がされており、かつ、その電子メールの受信中に基地局との間の通信状況の悪化等により、受信が不可能になった場合とに行われる。
【００５４】
第２の動作は、以下の通りである。即ち、電子メール送受信部２１は、着信信号に係る電子メールのヘッダを受信する。そして、受信メール２２ａに、ヘッダが受信された電子メールの個数の関連付けられた情報を追加記憶させる。その情報は、「ヘッダ受信済み」なる受信状況２２ｃと、ヘッダが受信された時刻である日時２２ｄと、受信されたヘッダに含まれるそのメールの送信に係るアドレスである送信者アドレス２２ｅと、ヘッダに含まれる件名２２ｆとである。
【００５５】
本文２２ｇと、内容概要２２ｈには、情報を記憶させない。受信メール識別子２２ｂは、既に説明したように、適宜設定された情報が記憶される。次に、電子メール送受信部２１は、受信メール２２ａに情報が記憶されたことを未読電子メール管理部２３に通知する。この際、設定された受信メール識別子２２ｂをパラメータとして併せて通知する。
【００５６】
図２に例示する受信メール２２ａで、「２１」である受信メール識別子２２ｂと関連付けられた情報と、「２２」である受信メール識別子２２ｂと関連付けられた情報と、「２３」である受信メール識別子２２ｂと関連付けられた情報とは、この第２の動作によって記憶された情報の例を示す。
【００５７】
この第２の動作は、電子メール着信信号が受信された際の動作として、上記第２の動作を行う設定がされている場合と、その際の動作として、その電子メールのヘッダ及び本文を受信する設定がされており、かつ、その電子メールのヘッダが受信された後、その電子メールの本文の受信中に基地局との間の通信状況の悪化等により、本文の受信が不可能になった場合とに行われる。
【００５８】
第３の動作は、以下の通りである。即ち、電子メール送受信部２１は、着信信号に係る電子メールのヘッダ及び本文を受信する。そして、受信メール２２ａに、受信された電子メールの個数の関連付けられた情報を追加記憶させる。その情報は、「本文受信済み」なる受信状況２２ｃと、本文が受信された時刻である日時２２ｄと、受信されたヘッダに含まれるそのメールの送信に係るアドレスである送信者アドレス２２ｅと、ヘッダに含まれる件名２２ｆと、その電子メールの本文２２ｇとである。
【００５９】
内容概要２２ｈには、情報を記憶させない。受信メール識別子２２ｂは、既に説明したように、適宜設定された情報が記憶される。次に、電子メール送受信部２１は、受信メール２２ａに情報が記憶されたことを未読電子メール管理部２３に通知する。この際、設定された受信メール識別子２２ｂをパラメータとして併せて通知する。
【００６０】
図２に例示する受信メール２２ａで、「３１」〜「３４」である受信メール識別子２２ｂと関連付けられた情報は、この第３の動作によって記憶された情報の例である。この第３の動作は、電子メール着信信号が受信された際の動作として、その電子メールのヘッダ及び本文を受信する設定がされている場合に行われる。
【００６１】
次に、電子メール送受信部２１の受信メールの表示動作と、表示動作中の電子メール受信動作とを説明する。電子メール送受信部２１の受信メールの表示動作は、入力装置１６の所定のキー操作によって起動されて、受信メール２２ａの少なくとも日時２２ｄ、送信者アドレス２２ｅ、件名２２ｆ及び本文２２ｇの中の１つを表示部１５に表示させる。なお、受信状況２２ｃが「未受信」である受信メール２２ａは、上記のいずれの情報も記憶されていないので、表示させない。
【００６２】
上記表示動作に加えて、入力装置１６の所定のキー操作によって、または、キー操作に加えて、設定に依存して、電子メール送受信部２１は、以下の４通りの受信メール２２ａの更新記憶処理を行う。この更新記憶処理は、多くの場合、電子メール受信の動作を伴う。また、電子メール送受信部２１は、受信メール削除の動作を行う。
【００６３】
第１の動作は、以下の通りである。即ち、電子メール送受信部２１は、受信メール２２ａに「未受信」なる受信状況２２ｃがある場合、電子メールサーバ装置に要求して、電子メールサーバ装置に記憶され、ヘッダが受信されていない電子メールのヘッダを受信する。そして、受信メール２２ａに、受信された電子メール毎に、その電子メールに係る関連付けられた情報を更新記憶させる。
【００６４】
その情報は、「未受信」を「ヘッダ受信済み」に更新した受信状況２２ｃと、ヘッダが受信された時刻である日時２２ｄと、受信されたヘッダに含まれるそのメールの送信に係るアドレスである送信者アドレス２２ｅと、そのヘッダに含まれる件名２２ｆとである。
【００６５】
なお、「未受信」なる受信状況２２ｃが複数組ある場合、電子メール送受信部２１は、全ての組の電子メールのヘッダを受信するが、これに限るものではない。１回のキー操作により、１組の電子メールのヘッダを受信するとしても良い。
【００６６】
なお、受信メール識別子２２ｂは、既に説明したように、適宜更新された情報が記憶される。内容概要２２ｈに記憶されていた情報は、削除する。また、本文２２ｇには、情報を記憶させない。次に、電子メール送受信部２１は、受信メール２２ａに情報が更新記憶されたことを未読電子メール管理部２３に通知する。この際、更新された受信メール識別子２２ｂをパラメータとして併せて通知する。
【００６７】
第２の動作は、以下の通りである。即ち、電子メール送受信部２１は、受信メール２２ａに「未受信」なる受信状況２２ｃがある場合、電子メールサーバ装置に要求して、電子メールサーバ装置に記憶され、ヘッダが受信されていない電子メールのヘッダ及び本文を受信する。そして、受信メール２２ａに、受信された電子メール毎に、その電子メールに係る関連付けられた情報を更新記憶させる。
【００６８】
その記憶させる情報は、「未受信」を「本文受信済み」に更新した受信状況２２ｃと、本文が受信された時刻である日時２２ｄと、受信されたヘッダに含まれるそのメールの送信に係るアドレスである送信者アドレス２２ｅと、そのヘッダに含まれる件名２２ｆと、その電子メールの本文２２ｇとである。
【００６９】
なお、「未受信」なる受信状況２２ｃが複数組ある場合、電子メール送受信部２１は、全ての組の電子メールのヘッダ及び本文を受信するが、これに限るものではない。１回のキー操作により、１組の電子メールのヘッダ及び本文を受信するとしても良い。なお、受信メール識別子２２ｂは、既に説明したように、適宜更新された情報が記憶される。内容概要２２ｈに記憶されていた情報は、削除する。次に、電子メール送受信部２１は、受信メール２２ａに情報が更新記憶されたことを未読電子メール管理部２３に通知する。この際、更新された受信メール識別子２２ｂをパラメータとして併せて通知する。
【００７０】
第３の動作は、以下の通りである。即ち、電子メール送受信部２１は、受信メール２２ａに「ヘッダ受信済み」なる受信状況２２ｃがある場合、電子メールサーバ装置に要求して、電子メールサーバ装置に記憶され、本文が受信されていない電子メールの本文を受信する。そして、受信メール２２ａに、受信された電子メール毎に、その電子メールに係る関連付けられた情報を更新記憶させる。
【００７１】
その情報は、「ヘッダ受信済み」を「本文受信済み」に更新した受信状況２２ｃと、本文が受信された時刻である日時２２ｄと、受信されたヘッダに含まれるそのメールの送信に係るアドレスである送信者アドレス２２ｅと、そのヘッダに含まれる件名２２ｆと、その電子メールの本文２２ｇとである。ここで、送信者アドレス２２ｅと、件名２２ｆとは、不変である。
【００７２】
なお、「ヘッダ受信済み」なる受信状況２２ｃが複数組ある場合、電子メール送受信部２１は、本文の受信に先んじてヘッダを電子メールサーバ装置に送信し、電子メールサーバ装置から送信された、そのヘッダに関連付けられた電子メールの本文を受信するが、これに限るものではない。電子メールサーバ装置と移動通信端末装置との双方で一意に受信メールを識別する情報が定義されていれば、ヘッダによらず、その情報による。
【００７３】
なお、受信メール識別子２２ｂは、既に説明したように、適宜更新された情報が記憶される。内容概要２２ｈに記憶されていた情報は、削除する。次に、電子メール送受信部２１は、受信メール２２ａに情報が更新記憶されたことを未読電子メール管理部２３に通知する。この際、更新された受信メール識別子２２ｂをパラメータとして併せて通知する。
【００７４】
第４の動作は、以下の通りである。即ち、電子メール送受信部２１は、受信メール２２ａから受信状況２２ｃが「本文受信済み」である受信メール２２ａを選択し、選択された受信メール２２ａの件名２２ｆの１つ、または複数個を表示部１５に表示させる。この表示の際、例えば、受信メール識別子２２ｂの順に表示させる。そして、入力装置１６の所定のキー操作によって選択された件名２２ｆに関連付けられた本文２２ｇを表示部１５に表示させる。
【００７５】
そして、電子メール送受信部２１は、表示された本文２２ｇに関連付けられた受信状況２２ｃを「既読」に更新し、内容概要２２ｈに記憶されていた情報は削除して、受信メール２２ａを更新記憶させる。この第４の動作では、受信メール２２ａに情報が更新記憶されたことを未読電子メール管理部２３に通知するが、受信メール識別子２２ｂをパラメータとして併せて通知することはない。
【００７６】
図２に例示する受信メール２２ａで、「４１」、「４２」である受信メール識別子２２ｂと関連付けられた情報は、この第４の動作によって記憶された情報の例である。
【００７７】
上記の動作は、必ずしも入力装置１６の所定のキー操作によって順次行われると限るものではない。例えば、第４の動作で、電子メール送受信部２１は、受信メール２２ａから受信状況２２ｃが「未受信」である受信メール２２ａや、「ヘッダ受信済み」である受信メール２２ａを選択するとしても良い。
【００７８】
選択された件名２２ｆに関連付けられた受信状況２２ｃが「未受信」である場合、電子メール送受信部２１は、上記第２の動作によって本文２２ｇ等を受信した上で、上記第４の動作を行う。また、受信状況２２ｃが「ヘッダ受信済み」である場合、上記第３の動作によって本文２２ｇを受信した上で、上記第４の動作を行う。このように、他の動作の後に第４の動作が行われた場合、電子メール送受信部２１は、受信メール２２ａに情報が更新記憶されたことを未読電子メール管理部２３に通知するが、受信メール識別子２２ｂをパラメータとして併せて通知することはない。
【００７９】
受信メール削除の動作は、以下の通りである。即ち、電子メール送受信部２１は、入力装置１６の所定のキー操作によって、表示部１５に表示された受信メール２２ａを削除する。削除する受信メール２２ａは、１つとしても良く、また、複数個でも良い。
【００８０】
この受信メール削除の動作が行われた場合、その削除された受信メール２２ａの受信状況２２ｃが「ヘッダ受信済み」または「本文受信済み」であれば、電子メール送受信部２１は、受信メール２２ａから情報が削除されたことを未読電子メール管理部２３に通知するが、受信メール識別子２２ｂをパラメータとして併せて通知することはない。また、その受信状況２２ｃが「既読」であれば、電子メール送受信部２１は、受信メール２２ａから情報が削除されたことを未読電子メール管理部２３に通知しない。
【００８１】
次に、未読電子メール管理部２３の動作の中で、未読メール管理情報記憶部２４に記憶された画像情報２４ｃを管理する動作を説明する。未読電子メール管理部２３は、入力装置１６の所定のキー操作によって起動され、画像識別子２４ｋと、画像データ２４ｍとを画像情報２４ｃとを新規記憶させる。画像識別子２４ｋは、入力装置１６の所定のキー操作によって入力される。画像データ２４ｍは、例えば、電子メール送受信部２１によって受信されたものである。または、取り外し可能な記憶媒体を介して入力されたものである。
【００８２】
また、未読電子メール管理部２３は、画像識別子２４ｋと、画像データ２４ｍとを表示部１５に表示させる。そして、それらの更新記憶と、削除とを行う。画像識別子２４ｋの更新は、入力装置１６の所定のキー操作による。画像データ２４ｍの更新は、例えば、異なる画像データによる置き換えによる。
【００８３】
次に、未読電子メール管理部２３の動作の中で、未読メール管理情報記憶部２４に記憶された解析結果画像対応２４ｂを管理する動作を説明する。未読電子メール管理部２３は、内容概要２４ｉと、画像識別子２４ｊとを入力装置１６の所定のキー操作によって入力し、関連付けて解析結果画像対応２４ｂとして新規記憶させ、また、更新記憶させる。
【００８４】
内容概要２４ｉは、文字列である。画像識別子２４ｊは、画像情報２４ｃの画像識別子２４ｋと同じものである。未読電子メール管理部２３は、画像情報２４ｃの画像識別子２４ｋを表示部１５に一覧表示させ、その中から選択させることによって画像識別子２４ｊを入力しても良い。また、未読電子メール管理部２３は、一覧表示された解析結果画像対応２４ｂの中から、選択されたものを更新記憶し、また、削除する。
【００８５】
次に、未読電子メール管理部２３の動作の中で、未読メール管理情報記憶部２４に記憶された解析ルール２４ａを管理する動作を説明する。未読電子メール管理部２３は、受信状況２４ｅと、送信者アドレス２４ｆと、受信メール内容２４ｇと、内容概要２４ｈとを入力装置１６の所定のキー操作によって入力し、関連付けて解析ルール２４ａとして新規記憶させ、また、更新記憶させる。なお、送信者アドレス２４ｆの入力に際して、アドレス帳３２ａを表示部１５に表示させ、表示された電子メールアドレス３２ｄまたは氏名３２ｂの選択によっても良い。
【００８６】
この記憶させる際、解析ルール２４ａの順は有意であり、未読電子メール管理部２３は、入力装置１６の所定のキー操作によって識別される順に記憶させる。図３に示す例では、解析ルール２４ａの順をルール番号２４ｄの大小によって例示している。しかし、順は、必ずしもルール番号２４ｄの大小によって表されると限るものではない。例えば、記憶される位置によって表されても良い。その場合、ルール番号２４ｄは必ずしも必要ではない。また、未読電子メール管理部２３は、一覧表示された解析ルール２４ａの中から、選択されたものを削除する。
【００８７】
次に、未読電子メール管理部２３の動作の中で、電子メール記憶部２２に記憶された受信メール２２ａを参照して未読メールの存在を報知する動作、及び、受信メール２２ａを更新記憶する動作を説明する。図７は、未読電子メール管理部２３の電子メール記憶部２２に記憶された受信メール２２ａを参照して未読メールの存在を報知する動作、及び、受信メール２２ａを更新記憶する動作のフローチャートを示す。
【００８８】
未読電子メール管理部２３は、装置の電源投入によって上記の動作を開始し（ステップＳ１０１）、受信メール２２ａの内容概要２２ｈに基づいて、未読メールの存在報知画像を表示部１５に表示を続けさせる（ステップＳ１０２）。ここで、電源投入の際、前回の電源切断の前までに記憶された内容概要２２ｈを表示させる。また、例えば、装置の初回の電源投入の際は、内容概要２２ｈに何も記憶されていないので、何も表示されない。
【００８９】
この表示の動作の詳細を説明する。未読電子メール管理部２３は、受信メール２２ａを上から、即ち、受信メール識別子２２ｂが小さい順に読み出す。そして、読み出された受信メール２２ａの内容概要２２ｈと、内容概要２４ｉとが等しい解析結果画像対応２４ｂを検索する。そして、検索された解析結果画像対応２４ｂの画像識別子２４ｊと、画像識別子２４ｋとが等しい画像情報２４ｃを検索する。そして、検索された画像データ２４ｍを得る。なお、ある受信メール２２ａの内容概要２２ｈに対して、上記検索結果が得られない場合、その受信メール２２ａについては存在報知画像が表示されない。
【００９０】
このように検索することによって、図２に示す内容概要２２ｈから得られる画像データ２４ｍの列は、「ＱＱＱ」である画像識別子２４ｋに関連付けられた画像データ２４ｍ（細長い封筒上の画像。）が２つ、「ＳＳＳ」である画像識別子２４ｋに関連付けられた画像データ２４ｍ（星形の画像。）、「ＰＰＰ」である画像識別子２４ｋに関連付けられた画像データ２４ｍ（顔形の画像。）、「ＵＵＵ」である画像識別子２４ｋに関連付けられた画像データ２４ｍ（稲妻形の画像。）、「ＰＰＰ」である画像識別子２４ｋに関連付けられた画像データ２４ｍ（顔形の画像。）、「ＶＶＶ」である画像識別子２４ｋに関連付けられた画像データ２４ｍ（三日月形の画像。）、「ＲＲＲ」である画像識別子２４ｋに関連付けられた画像データ２４ｍ（太陽形の画像。）、及び、「ＵＵＵ」である画像識別子２４ｋに関連付けられた画像データ２４ｍ（稲妻形の画像。）となる。
【００９１】
未読電子メール管理部２３は、この得られた画像データ２４ｍの列を表示部１５のピクト行に一覧表示させる。ピクト行とは、表示部１５の例えば上部に表示され、アンテナ状の、受信された電波の強度報知画像や、乾電池状の、装置に電源を供給する蓄電池（図示せず）に蓄えられた電力量の多寡報知画像が表示される行である。
【００９２】
ここで、ピクト行は、装置の動作状況、例えば、通話部１４ｃによる通話が動作しているか否か、電子メール送受信部２１が動作しているか否か、アドレス帳管理部３１が動作しているか否かに係わらず、常に表示される。そのため、この画像データ２４ｍの列の表示により、常に未読メール存在を報知することができる。
【００９３】
図８は、ピクト行の一例を示す。このピクト行１５ａは、図２に示す受信メール２２ａの内容概要２２ｈに基づいて得られた画像データ２４ｍの列が表示されたものである。即ち、左から右に向かって、順に電波の強度報知画像１５ｂ及び電力量の多寡報知画像１５ｃに続き、未読メールの存在報知画像１５ｄが表示されている。
【００９４】
電波の強度報知画像１５ｂ及び電力量の多寡報知画像１５ｃは、周知の画像であるので、説明を省略する。未読メールの存在報知画像１５ｄは、上記説明した画像データ２４ｍの列である。
【００９５】
なお、図２に示す未読メールの存在報知画像１５ｄでは、「未受信」である内容概要２２ｈに対応する細長い封筒上の画像２個の表示に代えて、細長い封筒上の画像を１個と、数字「２」の表示を示す。これによれば、内容概要２２ｈが「未受信」である未読メールが多数の場合、１行のピクト行に未読メールの存在報知画像１５ｄを表示させることが容易になる。
【００９６】
なお、このように所定の画像と、その個数を表示させることは、内容概要２２ｈが「未受信」である未読メールの個々の内容を報知することができず、また、個々の未読メールに対応する処理を行うことができないことによる。即ち、内容概要２２ｈが「未受信」である未読メールに対する処理は、ヘッダのみであるか、ヘッダ及び本文であるかの選択肢はあるものの、全ての未読メールの受信処理のみであるためである。
【００９７】
一方、「未受信」以外である内容概要２２ｈに対応する画像を複数個表示させることに代えて、その画像と、数字との表示としても良い。それらの複数個の画像が隣り合って表示される場合にのみ、画像と数字の表示としても良く、また、隣り合うか否かに係らず、が画像と数字の表示としても良い。
【００９８】
なお、画像と数字との表示とする場合、後述するように、その画像によって表示された複数の既読でないメールの個々を指定することはできないので、それらの複数のメールが指定された場合、それらのメールの中の所定の順のメール、例えば、図２に示す受信メール２２ａで、受信メール識別子２２ｂが小さいメールが指定されたとする。
【００９９】
なお、上記得られた画像データ２４ｍの列が長く、表示部１５のピクト行に全てを表示できない場合がある。その場合、未読電子メール管理部２３は、受信メール識別子２２ｂが小さい受信メール２２ａに関する画像データ２４ｍの部分列を表示させる。これは、概ね電子メールサーバ装置に新しく届いた受信メール２２ａに関する画像データ２４ｍの部分列を表示させることに対応し、新しい受信メール２２ａである程、装置の利用者が急いで読みたいと考える可能性が高いと考えられるからである。
【０１００】
また、未読電子メール管理部２３は、受信メール識別子２２ｂが大きい受信メール２２ａに関する画像データ２４ｍの部分列を表示させる。これは、概ね電子メールサーバ装置に古く届いた受信メール２２ａに関する画像データ２４ｍの部分列を表示させることに対応し、古い受信メール２２ａである程、装置の利用者は、急いで読む必要性が高いと考えられるからである。
【０１０１】
また、未読電子メール管理部２３は、ピクト行を複数行にして、上記得られた画像データ２４ｍの列を表示させる。得られた画像データ２４ｍの列のなるべく多くを一覧表示させることが利用者に必要と考えられるからである。
【０１０２】
また、未読電子メール管理部２３は、上記得られた画像データ２４ｍの列をスクロールしつつ、表示させる。または、上記得られた画像データ２４ｍの列を複数の部分列に分割し、分割された部分列を所定の時間毎に順次表示させることを繰り返す。
【０１０３】
この処理は、得られた画像データ２４ｍの列を全て表示させることが利用者に必要であり、かつ、アプリケーションの使い勝手が悪化することを防止することが必要と考えられるためである。即ち、ピクト行が複数行になると、アプリケーション処理部、例えば、アドレス帳管理部３１によって使用可能な表示部１５の表示画面が狭くなることによって、アプリケーションの使い勝手が悪化するからである。
【０１０４】
次に、未読電子メール管理部２３は、電子メール送受信部２１から、受信メール２２ａが更新されたことの通知を受けたか否かを調べる（ステップＳ１０３）。ここで、この更新とは、受信メール２２ａに何らかの変化があったことを意味し、情報の追加、削除、変更及びその他のいずれであるかを問わない。
【０１０５】
この通知を受けた場合、パラメータとして、併せて受信メール識別子２２ｂの通知があれば受ける。上記更新されたことの通知を受けていない場合、未読電子メール管理部２３は、所定の時間間隔をおいて、ステップＳ１０３の通知を受けたか否かを調べる動作を繰り返す。
【０１０６】
上記通知を受けた場合、未読電子メール管理部２３は、更新されたことの通知が尽きた、即ち、全ての通知に対する処理が終わったか否かを調べる（ステップＳ１０４）。通知が尽きた場合、ステップＳ１０２の動作に戻り、未読メールの存在報知画像１５ｄを改めて作成し、表示部１５に表示を続けさせる。
【０１０７】
一方、更新されたことの通知が尽きていない場合、未読電子メール管理部２３は、未処理の通知の１つを選択し、その通知に併せて通知された受信メール識別子２２ｂを検索キーに、電子メール記憶部２２から受信メール２２ａを読み出す（ステップＳ１０５）。そして、その受信メール２２ａがいずれの解析ルール２４ａの条件を満たすかを調べる（ステップＳ１０６）。
【０１０８】
条件を満たす解析ルール２４ａを検索するために、未読電子メール管理部２３は、ルール番号２４ｄが小さい順に解析ルール２４ａを１つずつ読み出す。そして、ステップＳ１０５で読み出した受信メール２２ａが、その解析ルール２４ａの条件を満たすか否かを判断する。
【０１０９】
即ち、受信状況２２ｃと受信状況２４ｅとが等しく、送信者アドレス２２ｅと送信者アドレス２４ｆとが等しく、かつ、件名２２ｆ及び／または本文２２ｇから解析された受信メール２２ａの内容と受信メール内容２４ｇとが等しい場合、未読電子メール管理部２３は、条件が満たされたと判断して、検索動作を終了する。条件が満たされない場合、次の解析ルール２４ａを読み出して、上記判断を繰り返す。
【０１１０】
なお、送信者アドレス２４ｆに複数のアドレスが記憶されている場合、未読電子メール管理部２３は、送信者アドレス２２ｅがそれらの複数のアドレスに含まれていれば、送信者アドレス２２ｅと送信者アドレス２４ｆとは等しいと判断する。
【０１１１】
また、送信者アドレス２４ｆに「アドレス帳に記載あり」なる情報が記憶されている場合、未読電子メール管理部２３は、送信者アドレス２２ｅが電子メールアドレス３２ｄとしてアドレス帳３２ａに記憶されていれば、送信者アドレス２２ｅと送信者アドレス２４ｆとは等しいと判断する。また、記憶されていなければ、送信者アドレス２２ｅと送信者アドレス２４ｆとは等しくないと判断する。
【０１１２】
また、送信者アドレス２４ｆに「アドレス帳に記載なし」なる情報が記憶されている場合、未読電子メール管理部２３は、送信者アドレス２２ｅが電子メールアドレス３２ｄとしてアドレス帳３２ａに記憶されていなければ、送信者アドレス２２ｅと送信者アドレス２４ｆとは等しいと判断する。また、記憶されていれば、送信者アドレス２２ｅと送信者アドレス２４ｆとは等しくないと判断する。
【０１１３】
なお、受信状況２４ｅ、送信者アドレス２４ｆ、受信メール内容２４ｇのいずれか、または複数に情報が記憶されていない場合、未読電子メール管理部２３は、それぞれ、受信状況２２ｃ、送信者アドレス２２ｅ、件名２２ｆ及び／または本文２２ｇから解析された受信メール２２ａの内容に係らず、それぞれと等しいと判断する。
【０１１４】
一方、送信者アドレス２２ｅに情報が記憶されていない場合、未読電子メール管理部２３は、送信者アドレス２４ｆに係らず、送信者アドレス２２ｅと送信者アドレス２４ｆとは等しくないと判断する。また、件名２２ｆ及び／または本文２２ｇから解析された受信メール２２ａの内容が得られない場合、受信メール内容２４ｇに係らず、受信メール２２ａの内容と、受信メール内容２４ｇとは等しくないと判断する。
【０１１５】
ここで、件名２２ｆ及び／または本文２２ｇから解析された受信メール２２ａの内容と受信メール内容２４ｇとが等しいか否かの判断動作の詳細は、以下の２通りの動作のいずれか、または組み合わせによる。即ち、第１に、受信メール内容２４ｇに含まれる語または文字列が件名２２ｆ及び／または本文２２ｇに含まれている場合、未読電子メール管理部２３は、件名２２ｆ及び／または本文２２ｇから解析された受信メール２２ａの内容と受信メール内容２４ｇとが等しいと判断する。
【０１１６】
第２に、件名２２ｆ及び／または本文２２ｇに対して意味解析を施し、得られた概念を示す語が受信メール内容２４ｇに含まれている場合、未読電子メール管理部２３は、件名２２ｆ及び／または本文２２ｇから解析された受信メール２２ａの内容と受信メール内容２４ｇとが等しいと判断する。上記の一方または両方の動作によって等しいと判断されない場合、等しくないと判断する。
【０１１７】
ここで、件名２２ｆ及び／または本文２２ｇによって判断する際、未読電子メール管理部２３は、本文２２ｇによってまず判断し、本文２２ｇが記憶されていない場合、または、本文２２ｇによって等しいと判断されない場合、件名２２ｆによって判断するとしても良い。なぜなら、本文２２ｇは、件名２２ｆに比較して長文であることが多く、受信メール２２ａの内容を適切に表現していると考えられるからである。
【０１１８】
また、未読電子メール管理部２３は、件名２２ｆによってまず判断し、件名２２ｆが記憶されていない場合、または、件名２２ｆによって等しいと判断されない場合、本文２２ｇによって判断するとしても良い。なぜなら、件名２２ｆは、本文２２ｇに比較して短文であることが多く、受信メール２２ａの内容の主旨を含む可能性が高く、受信メール２２ａの内容を容易に判断することができると考えられるからである。
【０１１９】
なお、上記未読電子メール管理部２３の検索動作によって、条件を満たす解析ルール２４ａが検索されない場合がある。これによれば、後述するように、その受信メール２２ａが未読であることは、報知されない。しかし、これは、装置の使用者の意思に従ったものであり、支障はない。
【０１２０】
更に、所定の条件を満たす受信メール２２ａが未読であることを報知されないようにすることも可能である。そのためには、受信状況２４ｅ、送信者アドレス２４ｆ及び受信メール内容２４ｇによってその条件が記述され、その条件に関連付けられた内容概要２４ｈには、情報が記憶されないようにすれば良い。また、内容概要２４ｈに記憶された情報を、内容概要２４ｉとして解析結果画像対応２４ｂに記憶されていない情報とすれば良い。
【０１２１】
一方、必ず条件を満たす解析ルール２４ａが検索されるようにすることができる。例えば、図３に示す解析ルール２４ａでは、ルール番号２４ｄが「１」、「５」または「９」である３つの解析ルール２４ａによって、必ず条件を満たす解析ルール２４ａが検索される。
【０１２２】
次に、未読電子メール管理部２３は、検索された解析ルール２４ａの内容概要２４ｈをステップＳ１０５で読み出した受信メール２２ａの内容概要２２ｈに格納して、その受信メール２２ａを更新記憶し（ステップＳ１０７）、ステップＳ１０４の、通知が尽きたか否かを調べる動作に移る。なお、ステップＳ１０６で、条件を満たす解析ルール２４ａが検索されない場合、ステップＳ１０７では、受信メール２２ａの内容概要２２ｈに新たな情報は格納されない。
【０１２３】
なお、更新されたことの通知に併せて受信メール識別子２２ｂが通知されていない場合、その更新されたことの通知に関しては、未読電子メール管理部２３は、ステップＳ１０５〜ステップＳ１０７の動作を行わない。即ち、受信メール２２ａの内容概要２２ｈの更新記憶の動作を行わない。
【０１２４】
次に、ピクト行１５ａに表示された画像データ２４ｍを介して、電子メール送受信部２１が電子メールを受信し、また表示させる動作を説明する。図９は、ピクト行１５ａに画像データ２４ｍの列が表示された別の例を示す。この表示に際し、制御部１１によって、画像データ２４ｍの１つが他の画像データ２４ｍと異なる表示となる制御がされる。そして、入力装置１６の所定のキー操作、例えば、例えば、カーソル移動や、スクロール指示に用いられる上下左右方向向きの矢印キーの仲の１つのキーの操作により、別の画像データ２４ｍが異なる表示とされる。
【０１２５】
ここで、異なる表示とは、画像データ２４ｍ及び／またはその背景が、異なる色で表示、異なる輝度で表示、点滅を伴う表示、などであるが、これらに限るものではない。他と区別されれば良い。図９では、三日月形の画像にハッチングを施すことによって、異なる表示を示す。
【０１２６】
ある画像データ２４ｍの１つが他の画像データ２４ｍと異なる表示とされている際、入力装置１６の所定のキー操作、例えば、決定キーの操作がされると、制御部１１は、その画像データ２４ｍに対応する受信メール識別子２２ｂをパラメータに電子メール送受信部２１を起動する。その画像データ２４ｍに対応する受信メール識別子２２ｂとは、その受信メール識別子２２ｂによって識別される受信メール２２ａからの検索（図７のステップＳ１０６の検索の動作。）によって、その画像データ２４ｍが得られたことを意味する。
【０１２７】
電子メール送受信部２１は、上記のように、受信メール識別子２２ｂをパラメータとして制御部１１によって起動されると、既に説明した動作と同じ動作をするが、以下のようにパラメータとして与えられた受信メール識別子２２ｂによって識別される受信メール２２ａを対象とした動作をする。
【０１２８】
即ち、電子メール送受信部２１は、パラメータとして与えられた受信メール識別子２２ｂによって識別される受信メール２２ａの本文２２ｇを表示部１５に表示させる。その受信メール２２ａのヘッダ及び本文が受信されていない場合、及びその受信メール２２ａのヘッダは受信されているが、本文は受信されていない場合の本文を受信する動作は、既に電子メール送受信部２１の動作として説明した通りである。また、受信メール２２ａの更新、未読電子メール管理部２３への通知、及び、受信メール識別子２２ｂを通知しないことは、既に説明した通りである。
【０１２９】
または、電子メール送受信部２１は、上記のように、受信メール識別子２２ｂをパラメータとして制御部１１によって起動されると、パラメータとして与えられた受信メール識別子２２ｂによって識別される受信メール２２ａを削除する。受信メール２２ａの受信状況２２ｃが「ヘッダ受信済み」であるか、「本文受信済み」であるかを問わない。また、未読電子メール管理部２３への通知、及び、受信メール識別子２２ｂをパラメータとして通知しないことは、既に説明した通りである。
【０１３０】
なお、受信状況２２ｃが「未受信」である受信メール２２ａの削除には、電子メール送受信部２１は、ヘッダを受信した上で受信メール２２ａを削除する。この際、受信状況２２ｃが「未受信」である受信メール２２ａが複数であっても、全てが削除される。なお、受信状況２２ｃを「ヘッダ受信済み」と更新してから受信メール２２ａを削除する必要はない。また、未読電子メール管理部２３へ、ヘッダを受信した段階と、受信メール２２ａを削除した段階との２回に渡って通知する必要はない。受信メール２２ａを削除した段階で通知すれば良い。
【０１３１】
ここで、メールサーバ装置がヘッダ及び本文を受信していない受信メールの削除要求を受け入れる場合、電子メール送受信部２１は、メールサーバ装置にその受信メールの削除を要求する。そして、受信状況２２ｃが「未受信」である受信メール２２ａを削除する。そして、受信メール２２ａから情報が削除されたことを未読電子メール管理部２３に通知するが、受信メール識別子２２ｂをパラメータとして併せて通知することはない。
【０１３２】
入力装置１６の異なるキー操作がされることにより、制御部１１は、受信メール２２ａを識別する受信メール識別子２２ｂの他に、その受信メール２２ａに対する動作、例えば表示、または削除を第２のパラメータとして電子メール送受信部２１を起動し、電子メール送受信部２１は、その第２のパラメータに従って動作しても良い。
【０１３３】
このように、ピクト行１５ａに表示された画像データ２４ｍを介して、電子メール送受信部２１が電子メールを受信し、また表示させる動作によれば、装置の使用者は、電子メール送受信部２１を起動することなく、ピクト行１５ａを参照するだけで受信メール２２ａを選択して、読むことができる。また、削除することができる。そして、この選択の動作はごく短時間で可能である。
【０１３４】
例えば、装置の使用者は、宿泊を要する予定に関心を持ち、その予定を至急に確認したいと考えている場合、図９に示す、三日月形の画像が異なる表示でピクト行１５ａに表示されている際、入力装置１６の所定のキー操作をすれば良い。または、ＣＣＣ氏からのメール、即ち、送信者アドレス２２ｅが「ｃｃｃ＠ｃｃｃ．ｃｃｃ」である受信メール２２ａに全く関心がなく、直ちに削除したいと考えている場合、図９に示す稲妻形の画像が異なる表示でピクト行１５ａに表示されている際、入力装置１６の所定のキー操作をすれば良い。
【０１３５】
ここで、例えば、図２に示す受信メール２２ａで、「宿泊」である内容概要２２ｈは、図４に示す解析結果画像対応２４ｂで、「ＶＶＶ」である画像識別子２４ｊに関連付けられ、そして、図５に示す画像情報２４ｃによれば、三日月形の画像データ２４ｍに関連付けられる。このように、装置の使用者が関心を持つ内容の受信メール２２ａに対応する画像データ２４ｍは、使用者によって任意に対応付けを行うことができる。
【０１３６】
以上の説明は、解析ルール２４ａに含まれる条件は、受信状況２４ｅ、送信者アドレス２４ｆ及び受信メール内容２４ｇによって記述されるとしたが、これに限るものではない。例えば、受信状況２４ｅのみによって記述すれば、受信状況２４ｅが「未受信」、「ヘッダ受信済み」及び「本文受信済み」の３通りに分けて未読メールの件数を表示させることができる。
【０１３７】
また、送信者アドレス２４ｆのみによって記述すれば、送信者アドレス２４ｆが特定のアドレスである未読メールの存在を報知させることや、アドレス帳３２ａに記載があるアドレスからの未読メールの件数と、その記載がないアドレスからの未読メールの件数とを報知させることができる。
【０１３８】
また、解析ルール２４ａに含まれる条件は、日時を含んでも良い。この日時は、受信メール２２ａの日時２２ｄと比較され、条件が満たされるか否かの判断に用いられる。ここで、比較とは、等しいか否かに限らず、より大きい及び／またはより小さいことの比較を含む。この日時の比較によれば、例えば、特に昔に受信された受信メール２２ａの存在の報知ができる。
【０１３９】
また、解析ルール２４ａに含まれる条件は、受信メールの送り先のアドレスであって、装置の使用者のアドレス以外のアドレスを含んでも良い。この場合、受信メール２２ａは、そのメールの送り先のアドレスを含む。そして、解析ルール２４ａに含まれる受信メールの送り先のアドレスが、受信メール２２ａに含まれる受信メールの送り先のアドレスに含まれていれば、これらの送り先のアドレスは等しいと判断される。この送り先のアドレスによる判断によれば、受信メール２２ａの内容の推定ができ、特に大切と考えられる受信メール２２ａの存在の報知ができる。
【０１４０】
以上の説明は、解析ルール２４ａの順は有意であり、最初に条件を満たした解析ルール２４ａによって内容概要２４ｈが選択され、ひいては、表示部１５に表示される未読メールの存在を報知する画像が選択されるとした。しかし、これに限るものではない。
【０１４１】
解析ルール２４ａは、条件を満たすか否かが判断されるものではなく、評価度数が判断されるものとしても良い。即ち、全ての解析ルール２４ａの評価度数を判断し、最も高い評価度数を与える解析ルール２４ａを条件を満たした解析ルール２４ａとする。この評価度数による判断は、特に、受信メール２２ａの内容と、受信メール内容２４ｇとの距離が定義される際に有効である。
【０１４２】
以上の説明は、未読メール管理情報記憶部２４には、解析ルール２４ａ、解析結果画像対応２４ｂ及び画像情報２４ｃの３つに分けて情報が記憶されるとしたが、これに限るものではない。１つにまとめて記憶させることも、２つに分けて記憶させることも可能である。いずれが適切かは、主にこれらの情報の更新頻度に依存して決定される。
【０１４３】
以上の説明は、本発明を移動通信端末装置に適用した例によって行った。しかし、本発明は、電子メールを受信する全ての装置に適用することが当然に可能である。
【０１４４】
なお、本発明の実施形態に係る移動通信端末装置の制御部１１、電子メール送受信部２１、未読電子メール管理部２３及びアドレス帳管理部３１は、プログラムを利用して動作するコンピュータであっても良い。本発明は以上の構成に限定されるものではなく、種々の変形が可能である。
【図面の簡単な説明】
【０１４５】
【図１】本発明の実施形態に係る移動通信端末装置の構成を示すブロック図。
【図２】本発明の実施形態に係る受信メールの構成の一例を示す図。
【図３】本発明の実施形態に係る解析ルールの構成の一例を示す図。
【図４】本発明の実施形態に係る解析結果画像対応の構成の一例を示す図。
【図５】本発明の実施形態に係る画像情報の構成の一例を示す図。
【図６】本発明の実施形態に係るアドレス帳の構成の一例を示す図。
【図７】本発明の実施形態に係る未読電子メール管理部の未読メールの存在を報知する動作、及び、受信メールを更新記憶する動作のフローチャート。
【図８】本発明の実施形態に係るピクト行の構成の一例を示す図。
【図９】本発明の実施形態に係るピクト行の構成の別の一例を示す図。
【符号の説明】
【０１４６】
１１  制御部
１５  表示部
１５ａ  ピクト行
１５ｄ  未読メールの存在報知画像
１６  入力装置
２１  電子メール送受信部
２２  電子メール記憶部
２２ａ  受信メール
２２ｂ  受信メール識別子
２２ｃ、２４ｅ  受信状況
２２ｄ  日時
２２ｅ、２４ｆ  送信者アドレス
２２ｆ  件名
２２ｇ  本文
２２ｈ、２４ｈ、２４ｉ  内容概要
２３  未読電子メール管理部
２４  未読メール管理情報記憶部
２４ａ  解析ルール
２４ｂ  解析結果画像対応
２４ｃ  画像情報
２４ｄ  ルール番号
２４ｇ  受信メール内容
２４ｊ、２４ｋ  画像識別子
２４ｍ  画像データ
３１  アドレス帳管理部
３２  アドレス帳記憶部
３２ａ  アドレス帳
３２ｄ  電子メールアドレス
【図１】
2009053758.tif 000003
【図２】
2009053758.tif 000004
【図３】
2009053758.tif 000005
【図４】
2009053758.tif 000006
【図５】
2009053758.tif 000007
【図６】
2009053758.tif 000008
【図７】
2009053758.tif 000009
【図８】
2009053758.tif 000010
【図９】
2009053758.tif 000011